【事件の表示】
　平成７年特許願第２７６３７１号「ラベリング方法およびラベル用品」拒絶査定に対する審判事件［平成９年４月８日出願公開、特開平９−９７００８］について、次のとおり審決する。
【結　論】
　本件審判の請求は、成り立たない。
【理　由】
１．本願は、平成7年9月29日の出願であって、その発明は、補正された明細書及び図面の記載からみて、特許請求の範囲の請求項１、請求項２に記載された以下のとおりのものである。
「請求項１
　不可視インクによりそのままでは見ることのできない文字や記号等を、裏面に接着剤層を形成したラベルの表面に記載し、必要時に、液状の可視化剤を入れたペンで前記ラベルの表面へ可視化剤を塗布することにより、前記不可視インクを可視化剤と化学反応させて前記不可視インクを発色せしめ、ラベル表面の記載事項を読み取り可能にするラベリング方法。
　請求項２
(a)裏面に接着剤層が形成され、表面に不可視インクによりそのままでは見ることのできない文字や記号等を記載したラベル
(b)ラベル表面の不可視インクとの化学反応により不可視インクを発色せしめて不可視インクによる記載事項を読み取り可能にする液状の可視化剤を入れたペン
　上記(a)および(b)よりなるラベル用品。」
　
２．当審の平成12年5月29日付け拒絶理由通知書に引用された刊行物には、以下の事項が記載されている。
(1)刊行物１（特開平7-112578号公報）
　刊行物１には、印刷物に関して以下のことが記載されている。
a)「前記グループＡから選択される電子供与性呈色化合物は、グループＢから選択される電子受容性顕色化合物と分子接触することによって、無色から各呈色化合物固有の色に発色する。これら発色変化は従来のごときＰＨ変化に基づくものでないため、１つの発色助剤によって各種の呈色化合物を夫々固有の色に同時に発色させることが可能となり、色彩豊な隠し絵等を印刷しうる。」（段落【0007】）
b)「又発色助剤5としては、前記電子受容性顕色化合物を、カルナバロウ、パラフィン、木ロウ、硬化油等と混練したいわゆる固体のクレヨンとして形成することができ、この時クレヨン自体によって塗布具6を構成する。」（段落【0013】）
c)「（具体例）クリスタルバイオレットラクトン６重量部と、スチレン／アクリル樹脂10重量部と、フタル酸ジオクチル40重量部と、フタル酸ジメチル44重量部とを攪拌機を用いて約20分攪拌することにより無色のインキを形成し、このものを用いて凸版印刷機で絵・文字等を印刷した。」（段落【0015】）
　
(2)刊行物２（特開平2-266389号公報）
　刊行物２には、印刷物に関して以下の事項が記載されている。
a）「第１図(a)は可視色でチューリップの茎および葉21を色彩を付して表示するとともに、その上部の点線枠22内には印刷時には不可視である変色材を用いて印刷されるとともに、発色剤を点線枠22の略全領域に亘り塗布することにより、例えば紫、黄、赤等の色彩を有する花の形状が表示される。又同様に下部の実線枠23にはその花の名称である「チューリップ」なる文字が変色剤を用いて印刷され、発色剤の塗布によりこの文字が可視しうるように形成される。」（第2頁右上欄第19行〜左下欄第8行）
b)「変色剤はインクとして調合されかつ通常無色状態に調整される。なお印刷後の乾燥等によって無色となるように調合することもできる。
　変色剤を変色インクとして調合するには、例えばアルコール等の変色剤用の溶媒を用いてかつ多価アルコール、界面活性剤、各種の樹脂類等を添加する。なお印刷後に水又はアルコールなどの発色剤を用いて発色させる時には変色剤インクとして水性変色剤インクビヒクルを利用することが好ましい。」（第3頁左上欄第8〜17行）
c)「発色剤を印刷物に作用させる塗布具としては、いわゆるフェルトペンの他、先端にアクリルチップ、ポリエステルチップを有するアンダーライン用マーカー類等のペンタイプがある。」（第3頁右下欄第5〜8行）
　また、第１表には、変色剤と組合せる発色剤として液状の物質を用いることが記載されている。
　
(3)刊行物３（特開平7-1874号公報）
　刊行物３には、真正であることを判定するための備えを有するドキュメントに関し以下の事項が記載されている。
a)「【発明の概要】政府発行のドキュメントの書式を妨げることなしに、そのドキュメントに暗号化したデータまたは符号化したデータを付すことができるようにする技術を発明した。暗号化したデータまたは符号化したデータを透明なテープに不可視インキで印字する。不可視インキの顔料に応じて紫外線または赤外線を照射することによってそのインキは見えるようになる。ラベルの準備に際して、ドキュメント上のデータを読取り器（スキャナ）で走査し、それから得た情報を符号化する。それから透明なラベルの上に印字すべき符号を考え、その符号を不可視インキで印字する。次に透明なラベルをドキュメントに付着する。不可視インキを使用しているから、透明なテープで覆われているテキストは読取ることができる。」（段落【0004】）
b)「データを符号化した後で、ラベルプリンタが符号化されたデータを不可視インキで透明なラベル34に印字する。ラベルプリンタは接着剤をラベルに塗布することができる構造をも含む。ラベルの印字された部分が摩滅させられないように、ラベルの符号化されたメッセージ36が不可視インキで印字されている側に接着剤を塗布するのが好ましい。」（段落【0010】）
c)「ドキュメント10が真正であることについての判定を行う場合には、判定を行う者に図４に示すような装置60が提供される。この装置は、透明なラベル34に印字に使用されている不可視インキの種類に応じて、赤外線領域または紫外線領域の光を照射することができるスキャナ62を含む。」（段落【0012】）
　
３．本件請求項２に係る発明（ラベル用品）について検討する。
(1)「(a)裏面に接着剤層が形成され、表面に不可視インクによりそのままでは見ることのできない文字や記号等を記載したラベル」の点について
　不可視インクによりそのままでは見ることのできない文字や記号等が印字され、裏面には接着剤層が形成されたラベルが刊行物３に記載されている。このものにおいては、不可視インクを「ラベルの印字された部分が摩耗されないように」ラベルの裏面に印字したものであるが、印刷物において、不可視インクを表面に印字することは、刊行物１にみられるように本件出願前広く行われていることにすぎない。
　したがって、「(a)裏面に接着剤層が形成され、表面に不可視インクによりそのままでは見ることのできない文字や記号等を記載したラベル」とすることは、本件出願前当業者が容易になし得る程度のことにすぎない。
(2)「(b)ラベル表面の不可視インクとの化学反応により不可視インクを発色せしめて不可視インクによる記載事項を読み取り可能にする液状の可視化剤を入れたペン」の点について
　印刷物表面の変色インク（本件発明の「不可視インク」に相当する。）との化学反応により、変色インクを発色せしめて変色インクによる記載事項を読み取り可能にする液状の発色剤（本件発明の「可視化剤」に相当する。）をいれたペンは刊行物２に記載されている。
　そして、不可視インクをラベルに印字することは、刊行物３にみられるように本件出願前広く行われていることにすぎない。
　したがって、「(b)ラベル表面の不可視インクとの化学反応により不可視インクを発色せしめて不可視インクによる記載事項を読み取り可能にする液状の可視化剤を入れたペン」は、本件出願前当業者が容易に想到し得る程度のことにすぎない。
(3)発明全体として
　本件発明は上記のラベルとペンよりなるラベル用品であるが、不可視インクが印刷された印刷物を可視状態にするには、可視化剤を入れたペンが不可欠であり、また、筆記具と筆記帳とを合わせて販売することは広く行われていること等を考慮すれば、ラベルとペンとを合わせてラベル用品とすることは、当業者が適宜なし得ることにすぎないとういうべきである。
　なお、本件発明の奏する効果も、刊行物１ないし刊行物３に記載された発明から予測し得る程度のものにすぎない。
　そうすると、本件請求項２に係る発明は、刊行物１ないし刊行物３に記載された発明に基づいて当業者が容易になし得る程度のものであって、特許法第２９条第２項の規定により特許を受けることができない。
　
４．したがって、本願は、他の請求項に係る発明について検討するまでもなく拒絶をすべきものである。
　よって、結論のとおり審決する。